(57)【要約】【課題】環状のコンロバーナで囲われるバーナ内方空間に挿通される上下方向に長手の支持パイプと、支持パイプの上端部に上方に付勢して支持される、感熱素子を内蔵する感熱ヘッドとを備え、感熱素子からのびるリード線を支持パイプに挿通し、コンロの天板上の五徳に調理容器を載置したときに、感熱ヘッドが調理容器の底面に当接して押し下げられるようにした鍋底温度センサをコンロバーナに固定する鍋底温度センサ用取付具を簡単な構成で支持パイプの回転を効果的に抑制するように構成する。【解決手段】本発明の鍋底温度センサ用取付具７は、コンロバーナ２に固定の取付板８と、取付板８との間に支持パイプ６１を挟む押え板９とを備える。取付板と押え板との少なくとも一方に支持パイプに面する開口８１ａ，９１ａが形成され、この開口の縁部に、支持パイプ側に突出するバリＢを形成する。【選択図】図２
2013250039.tif 000002
【特許請求の範囲】
【請求項１】
環状のコンロバーナで囲われるバーナ内方空間に挿通される上下方向に長手の支持パイプと、支持パイプの上端部に上方に付勢して支持される、感熱素子を内蔵する感熱ヘッドとを備え、感熱素子からのびるリード線を支持パイプに挿通し、コンロの天板上の五徳に調理容器を載置したときに、感熱ヘッドが調理容器の底面に当接して押し下げられるようにした鍋底温度センサをコンロバーナに固定する鍋底温度センサ用取付具であって、
コンロバーナに固定の取付板と、取付板との間に支持パイプを挟む押え板とで構成されるものにおいて、
取付板と押え板との少なくとも一方に支持パイプに面する開口が形成され、この開口の縁部に、支持パイプ側に突出するバリを形成したことを特徴とする鍋底温度センサ用取付具。
【請求項２】
前記開口は上下方向にのびる部分を有し、この部分にバリを形成したことを特徴とする請求項１記載の鍋底温度センサ用取付具。
【発明の詳細な説明】
【技術分野】
【０００１】
本発明は、調理容器の底面に当接して調理容器の温度を検出するためにコンロバーナに付設される鍋底温度センサをコンロバーナに固定する鍋底温度センサ用取付具に関する。
【背景技術】
【０００２】
この種の鍋底温度センサは、環状のコンロバーナで囲われるバーナ内方空間に挿通される上下方向に長手の支持パイプと、支持パイプの上端部に上方に付勢して支持される、感熱素子を内蔵する感熱ヘッドとを備え、感熱素子からのびるリード線を支持パイプに挿通し、コンロの天板上の五徳に調理容器を載置したときに、感熱ヘッドが調理容器の底面に当接して押し下げられるようにしている。リード線は、支持パイプの下端から引き出されてコンロ本体内の制御基板に接続される。
【０００３】
上記鍋底温度センサのコンロバーナへの固定には取付具が用いられる。取付具としては、コンロバーナに固定で支持パイプに外接する取付板と、支持パイプを受け入れる断面半円状の窪み部を有する押え板とで構成されたものが例えば特許文献１で知られている。このものでは、取付板にも、支持パイプを受け入れる断面半円状の窪み部を有する舌片が支持パイプの長手方向に所定間隔で形成されている。そして、押え板の窪み部両側で支持パイプの径方向にのびるフランジ部を取付板に面接触させ、ねじで締結することで取付板と押え板との間で支持パイプが挟持される。また、押え板には、支持パイプの外周面に突設された環状突起部が係合する、周方向にのびる開口が形成され、取付板と押え板との間に支持パイプを挟持すると、支持パイプが上下方向に位置決めされるようにしている。
【０００４】
ここで、感熱ヘッドは、通常、支持パイプに対し回り止めされるように組み付けられている。そのため、例えば、お手入れの際、誤って感熱ヘッドに回転方向の力が加えられると、この回転力が支持パイプにも作用する。この場合、支持パイプが取付具によって確実に回り止めされていれば、感熱ヘッドが回転することはない。然し、上記従来例の取付具では、取付板と押え板との間で支持パイプを挟むことにより、摩擦力だけで支持パイプを回り止めしており、感熱ヘッドにある程度以上の回転力が作用すると、支持パイプが感熱ヘッドと一緒に回転してしまう。そして、感熱ヘッドが回転することで、支持パイプ内を挿通するリード線が捩じられ、場合によっては断線する虞がある。
【先行技術文献】
【特許文献】
【０００５】
【特許文献１】特開２００６−２３４３７０号公報
【発明の開示】
【発明が解決しようとする課題】
【０００６】
本発明は、以上の点に鑑み、簡単な構成で支持パイプの回転を効果的に抑制することができるようにした鍋底温度センサ用取付具を提供することをその課題とするものである。
【課題を解決するための手段】
【０００７】
上記課題を解決するために、環状のコンロバーナで囲われるバーナ内方空間に挿通される上下方向に長手の支持パイプと、支持パイプの上端部に上方に付勢して支持される、感熱素子を内蔵する感熱ヘッドとを備え、感熱素子からのびるリード線を支持パイプに挿通し、コンロの天板上の五徳に調理容器を載置したときに、感熱ヘッドが調理容器の底面に当接して押し下げられるようにした鍋底温度センサをコンロバーナに固定する本発明の鍋底温度センサ用取付具は、コンロバーナに固定の取付板と、取付板との間に支持パイプを挟む押え板とで構成され、取付板と押え板との少なくとも一方に支持パイプに面する開口が形成され、この開口の縁部に、支持パイプ側に突出するバリを形成したことを特徴とする。
【０００８】
本発明によれば、取付板と押え板との少なくとも一方に形成した開口の縁部にバリを形成したため、取付板と押え板との間に支持パイプを挟むと、バリが支持パイプの外周面に食い込み、支持パイプの回転に対する抵抗が増大する。これにより、簡単な構成で支持パイプの回転を効果的に抑制することが実現できる。なお、開口が、支持パイプに形成した環状突起部が係合する、支持パイプの上下方向の位置決め用のものと兼用すれば、開口を別個に形成する必要がなく、取付板及び押え板の加工工程を少なくできてコスト低減にも寄与する。
【０００９】
本発明においては、前記開口は上下方向にのびる部分を有し、この部分にバリを形成することが好ましい。これによれば、支持パイプの回転方向に直交する方向で所定長さに亘ってバリが食い込むことになり、支持パイプの回転を一層効果的に抑制することができる。
【図面の簡単な説明】
【００１０】
【図１】本発明の実施形態の取付具で固定された鍋底温度センサを備えるコンロの断面図。
【図２】図１の取付具の分解斜視部。
【図３】図１の取付具の要部を拡大して示す断面図。
【発明を実施するための形態】
【００１１】
図１を参照して、１は、図示省略したコンロ本体の上面を覆う天板である。天板１には、バーナ用開口１ａが開設されており、コンロ本体に、バーナ用開口１ａに臨むようにコンロバーナ２を設置している。天板１上には、環状の五徳枠３１に放射状に複数の五徳爪３２を取り付けて成る五徳３がコンロバーナ２を囲うようにして設置されており、五徳３に載置する鍋等の調理容器をコンロバーナ２で加熱するようにしている。コンロバーナ２は、混合管２１に連なる環状のバーナボディ２２と、バーナボディ２２上に載置され、バーナボディ２２との間に炎口２３ａを画成する環状のバーナキャップ２３と、バーナキャップ２３上に載置され、バーナキャップ２３との間に二次空気通路を画成する環状の二次空気ガイド板２４とを備える公知の環状バーナで構成されている。コンロバーナ２の外周には、点火電極４と熱電対５とが設置されている。そして、コンロバーナ２で囲われるバーナ内方空間２５を通してコンロバーナ２の上方に突出する鍋底温度センサ６が設置されている。
【００１２】
鍋底温度センサ６は、バーナ内方空間２５に挿通される上下方向に長手の支持パイプ６１と、支持パイプ６１の上端部に支持される感熱ヘッド６２とを備える公知のもので構成されている。感熱ヘッド６２は、調理容器の底面に当接する集熱板６２ａと、集熱板６２ａで上端が閉塞される内筒６２ｂと、内筒６２ｂを囲う遮熱用の外筒６２ｃとを備え、集熱板６２ａの下面に、集熱板６２ａを介して調理容器の温度を検出するサーミスタ等の感熱素子６３が取り付けられている。また、内筒６２ｂは、支持パイプ６１の上端に取り付けたばね受け６４ａに回り止めした状態で摺動自在に外挿されている。ばね受け６４ａと集熱板６２ａとの間にはばね６４が介設されており、感熱ヘッド６２を支持パイプ６１に対しばね６４により上方に付勢して支持している。内筒６２ｂの下端部には縮径した段差部６２ｄが形成されており、五徳３に調理容器を載せない自由状態では、感熱ヘッド６２がばね受け６４ａの下面への段差部６２ｄの当接で規制される上動端位置に保持される。そして、五徳３に調理容器を載置したとき、感熱ヘッド６２が調理容器の底面に当接してバネ６４の付勢力に抗して押し下げられ、集熱板６２ａがバネ６４の圧縮反力で調理容器の底面に確実に当接するようにしている。
【００１３】
感熱素子６３からのびるリード線６５は、支持パイプ６１に挿通され、支持パイプ６１の下端から外部に引き出されて、コンロ本体内の制御基板（図示せず）に接続される。尚、リード線６５には比較的剛性の高い耐熱被覆６５ａが外挿されている。そのため、感熱ヘッド６２の上下動に追従してリード線６５が支持パイプ６１内で撓むことなく上下動する。そして、鍋底温度センサ６は、取付具７によってコンロバーナ２に固定される。以下、本発明の取付具７の実施形態について説明する。
【００１４】
図２及び図３も参照して、取付具７は、コンロバーナ２に固定の取付板８と、取付板８との間に支持パイプ６１を挟む押え板９とで構成される。以下において、支持パイプ６１の挟み方向に平行な水平方向をＸ軸方向、Ｘ軸方向に直交する水平方向をＹ軸方向として説明する。
【００１５】
取付板８及び押え板９は、夫々、支持パイプ６１の外径と等径の半円状にＸ軸方向に窪む上下方向にのびる挟持部８１，９１と、挟持部８１，９１のＹ軸方向両外側のフランジ部８２，９２とを備える。取付板８のＹ軸方向一側のフランジ部８２とＹ軸方向他側のフランジ部８２には、夫々ねじ孔８２ａと係合孔８２ｂが形成され、押え板９のＹ軸方向一側のフランジ部９２には、ねじ孔８２ａに重なる取付孔９２ａが形成され、押え板９のＹ軸方向他側のフランジ部９２の側縁には、係合孔８２ｂに挿通係止される係合爪９２ｂが形成されている。そして、係合爪９２ｂを係合孔８２ｂに挿通係止した状態で、取付孔９２ａを通してねじ孔８２ａにねじ９２ｃを螺入することで、取付板８のフランジ部８２，８２に押え板９２のフランジ部９２，９２を締結し、これにより、取付板８の挟持部８１と押え板９の挟持部９１との間に支持パイプ６１が挟持されるようにしている。挟持部８１，９１の上下方向中間部には、支持パイプ６１に面する開口として、Ｙ軸方向に長手で矩形の開口８１ａ，９１ａが形成されている。そして、支持パイプ６１の外周面に突設した環状突起部６１ａを開口８１ａ，９１ａに係合させることで、支持パイプ６１が上下方向に位置決めされるようにしている。
【００１６】
また、押え板９から取付板８に向かう方向をＸ軸方向一方、その反対方向をＸ軸方向他方として、取付板８は、その上端からＸ軸方向一方に屈曲してのびる固定板部８３を備え、この固定板部８３に固定孔８３ａを形成している。そして、取付板８を、バーナボディ２２の下端部に固定される図示省略したバーナ支持用のブラケットに固定孔８３ａを介してねじ止めし、取付板８がコンロバーナ２に固定されるようにしている。他方、押え板９の上端のＹ軸方向一側の端部からＸ軸方向一方に屈曲してのびる舌片部９３が設けられ、前記固定孔８３ａに重なる舌片部９３の先端部に固定孔９３ａを形成し、押え板９も固定孔９３ａでブラケットに共締めされるようにしている。また、固定板部８３のＸ軸方向一方の端部に上方に屈曲する起立板部８４を曲成し、この起立板部８４に点火電極４と熱電対５とが固定されている。
【００１７】
固定板部８３のＸ軸方向他方の端部には、支持パイプ６１を受け入れる凹欠部８５が形成されている。また、押え板９の上端にＸ軸方向他方に屈曲する庇部９４が形成され、この庇部９４のＸ軸方向一方の端部にも凹欠部９５が形成されている。そして、凹欠部９５のＹ軸方向両側の側片部９５ａ，９５ａを凹欠部８５のＹ軸方向両側の側辺部８５ａ，８５ａの上に重ね合わせて、支持パイプ６１を両凹欠部８５，９５間に挟持するようにしている。
【００１８】
ところで、感熱ヘッド６２は支持パイプ６１に対し回り止めされているが、取付具７で挟持されている支持パイプ６１が容易に回転したのでは、感熱ヘッド６２に回転方向の力が加えられたとき、支持パイプ６１と一緒に感熱ヘッド６２が回転して、リード線６５が捩じられ、場合によっては断線する虞がある。このため、支持パイプ６１が容易に回転しないように構成する必要がある。そこで、挟持部８１，９１に夫々形成した開口８１ａ、９１ａから上下方向にのびる矩形の開口部分８１ｂ，９１ｂを夫々形成し、開口部分８１ｂ，９１ｂを含む開口８１ａ、９１ａの縁部に、支持パイプ６１側に突出するバリＢを形成することとした（図３参照）。この場合、例えば、取付板８と押え板９との挟持部８１，９１に平面視十字状のパンチ（金型）を用いて打抜加工で開口部分８１ｂ，９１ｂを含む開口８１ａ、９１ａを形成する際に、支持パイプ６１に背向する側から、支持パイプ６１に面する側に向けて打抜加工すれば、開口部分８１ｂ，９１ｂを含む開口８１ａ、９１ａの縁部に、支持パイプ６１側に突出するバリＢを生ずる。
【００１９】
上記実施形態によれば、開口部分８１ｂ，９１ｂを含む開口８１ａ、９１ａの縁部にバリＢを形成したため、取付板８と押え板９との間に支持パイプ６１を挟むと、バリＢが支持パイプ６１の外周面に食い込み、支持パイプ６１の回転に対する抵抗が増大する。これにより、簡単な構成で支持パイプ６１の回転を効果的に抑制することが実現できる。このとき、支持パイプ６１の回転方向に直交する方向で所定長さに亘ってバリＢが食い込むことで、支持パイプ６１の回転を一層効果的に抑制することができる。また、支持パイプ６１に面する開口を、環状突起部６１ａが係合する、支持パイプ６１の上下方向の位置決め用の開口８１ａ，９１ａと兼用するため、取付板８と押え板９とに開口を別個に夫々形成する必要がなく、その上、この開口８１ａ，９１ａを打抜加工で形成したときに生ずるバリＢのバリ取り加工も不要になるため、加工工程を少なくできてコスト低減にも寄与する。
【００２０】
以上、本発明の実施形態について図面を参照して説明したが、本発明はこれに限定されない。上記実施形態では、上下方向にのびる開口部分８１ｂ，９１ｂを形成したものを例に説明したが、これを省略することもできる。また、取付板８と押え板９とのいずれか一方に形成した開口にバリを形成するようにしてもよい。これらによっても、支持パイプ６１の回転を抑制することができる。また、上記実施形態では、開口を、支持パイプ６１の上下方向の位置決めのため挟持部８１，９１に夫々形成される開口８１ａ，９１ａと兼用するものを例に説明したが、開口は別途設けることも可能である。
【符号の説明】
【００２１】
２…コンロバーナ、６…鍋底温度センサ、６１…支持パイプ、６２…感熱ヘッド、６３…感熱素子、６５…リード線、７…取付具、８…取付板、９…押え板、８１ａ，９１ａ…開口、８１ｂ，９１ｂ…開口の上下方向にのびる部分、Ｂ…バリ。
【図１】
2013250039.tif 000003
【図２】
2013250039.tif 000004
【図３】
2013250039.tif 000005